(57)【要約】【課題】  取付デバイスを提供する。【解決手段】  自動車の後部または前部でのライトストリップ用の取付デバイスが提供される。このライトストリップは、その自由端でそれぞれ取付ボルトによってしっかりと固定されて接続される。ライトストリップの中央領域に取付ボルトが設けられる。このボルトは、ばねプレートによって、またはコイルばねによって、Ｘ方向に撓み可能にライトストリップを保持する。【選択図】  図１
2015199491.tif 000002
【特許請求の範囲】
【請求項１】
自動車（２）の後部（１）または前部に配置され、テールライトの間に保持されるライトストリップ（３）に用いられる取付デバイスにおいて、前記ライトストリップ（３）が、各自由端（５、６）で取付ボルト（７）によって移動不能に固定されて保持され、前記ライトストリップ（３）が、Ｘ方向に自由に移動できるように、中央領域（８）でさらなる取付ボルト（９）によって保持されていることを特徴とする取付デバイス。
【請求項２】
前記ライトストリップ（３）の前記自由端（５、６）にある前記取付ボルト（７）がそれぞれ、移動不能に固定して接続するために、前記ライトストリップ（３）の溝形凹部（１０）内に配置された頭部（１１）を備え、前記ボルト（７）を、首下自由端で、ディスク（１４）を挿間してナット（１２）によって取り付けてあることを特徴とする請求項１に記載の取付デバイス。
【請求項３】
撓み可能に移動することができるように前記ライトストリップ（３）を取り付けるために、前記中央取付ボルト（９）が、前記ライトストリップ（３）の溝形凹部（１５）内に配置された頭部（１６）を備え、曲線形ばねプレート（１８）が、ショルダ（１９）で、前記ボルト（９）の前記首下自由部分（１７）に保持されて取り付けられ、前記ばねプレート（１８）が、突出自由端（２０、２１）で弾性的に当接し、前記ライトストリップ（３）がＸ方向に自由に移動できるように形成してあることを特徴とする請求項１または２に記載の取付デバイス。
【請求項４】
移動することができるように前記ライトストリップ（３）を取り付けるために、前記中央取付ボルト（９）が、前記ライトストリップ（３）の溝形凹部（１５）内に配置された頭部（１６）を備え、コイルばね（２２）が、前記ボルト（９）に保持されて取り付けられ、前記ばね（２２）が、ナット（２５）によってショルダ（２３）に固定することができるディスク（２４）と前記自動車（２）の車両ボディシェル（４）との間に延在し、前記ライトストリップ（３）がＸ方向に撓み可能に自由に移動できるように形成してあることを特徴とする請求項１または２に記載の取付デバイス。
【請求項５】
前記ボルト（７；９）を入れ子止めすることによって、またはガイドリブによって、Ｘ方向での前記ライトストリップ（３）の所定の許容される移動を制限することができることを特徴とする請求項１〜４のいずれか一項に記載の取付デバイス。
【発明の詳細な説明】
【技術分野】
【０００１】
本発明は、請求項１の前提部に記載のライトストリップ用の取付デバイスに関する。
【背景技術】
【０００２】
（特許文献１）に、２つのライトの間に配置されたカバーであって、ボディに対して中央で固定されるカバーが開示されている。ライトは、一端でカバーに接続され、他端でボディに接続される。ライトとカバーとの接続部は変位させることができ、水平面内でスナップ嵌めすることができる。したがって、ライトとカバーとから形成されるライトストリップは、中央およびその端点で取り付けられる。熱膨張が生じると、まずライトとカバーとの接続部の長手方向変位性によって吸収され、熱応力を生じない。さらなる熱膨張は、ライトとカバーとの接続部の座屈によって吸収され得る。
【先行技術文献】
【特許文献】
【０００３】
【特許文献１】独国特許第４３  ２１  ３８９  Ｃ２号明細書
【発明の概要】
【発明が解決しようとする課題】
【０００４】
本発明は、自動車のライトストリップに用いる取付デバイスであって、熱的負荷が生じた場合にＸ方向でのライトストリップの所定の膨張を保証する取付デバイスを実現するという目的に基づく。
【課題を解決するための手段】
【０００５】
上記目的は、本発明によれば、請求項１の特徴によって実現される。さらなる有利な特徴は、従属請求項に含まれる。
【０００６】
ライトストリップは、各自由端で、取付ボルトによって、例えば車両ボディシェル、リアパネル、またはトランクカバーに移動不能に固定されて保持される。ここで、ライトストリップは、Ｘ方向に自由に移動できるように、中央領域でさらなる取付ボルトによって車両ボディシェルに保持されている。したがって、中央領域でライトストリップと車両ボディシェルまたはボディとの間に配置された取付ボルトによって、ライトストリップの所定の移動が許容されて、車両の長手方向でのライトストリップの膨張が可能にされ得る。
【０００７】
特に、本発明によれば、ライトストリップの自由端にある取付ボルトは、ライトストリップを車両ボディシェルに移動不能に固定して接続するために、ライトストリップの溝形凹部内に配置された頭部を備え、その頭部を、ディスク（座金）を挿間してナットによって車両ボディシェルに取り付けることができるようになっている。これらの取付ボルトにより、ライトストリップを自由端でボディシェルに固定して取り付け、それにより、正確な接合寸法でのボディへの正確な配置が保証される。
【０００８】
さらに、本発明によれば、移動することができるようにライトストリップを車両ボディシェルに保持するために、中央取付ボルトが、ライトストリップの溝形凹部内に配置された頭部を備え、曲線形ばねプレートが、ボルトショルダによってボルトの自由端に保持されて取り付けられ、ばねプレートが、その突出自由端で車両ボディシェルに弾性的に当接し、ライトストリップがＸ方向に自由に移動できるようになっている。
【０００９】
本発明によれば、ばねプレートは、さらなる実施形態に従って、コイルばねによっても代用することができる。ばねプレートまたはコイルばねにより、ライトストリップが膨張可能となる。許容される移動が決められた状態で、例えば移動を制限してボルトを「入れ子止め」することによって、ライトストリップが中央に取り付けられることによっても、ライトストリップの構成要素が移動可能となる。
【００１０】
したがって、本発明により、大きな長手方向広がりを有するライトストリップが一般に車両の前部および後部とは異なる材料から形成され、熱的負荷が異なる材料膨張を有し、したがって、ライトストリップを中央でボディに可撓性および／または弾性を有した状態で取り付けることにより、構成要素の湾曲によるライトストリップの膨張が許容されるようにすることが可能になる。
【００１１】
本発明の例示的一実施形態が、図面に示され、以下により詳細に述べられる。
【図面の簡単な説明】
【００１２】
【図１】テールライトの間に配置され、外側固定取付具と中央可撓性取付具とを有するライトストリップを有する自動車の後部の背面図である。
【図２】ライトストリップの外側取付具の配置と、Ｘ方向での可能な移動領域とを示す、車両後部の背面図である。
【図３】外側自由端でライトストリップを車両ボディシェルにしっかりと固定するための取付ボルトの断面図である。
【図４】中央領域でライトストリップを車両ボディシェルに撓み可能に固定するためのばねプレートを有する取付ボルトの断面図である。
【図５】中央領域でライトストリップを車両ボディシェルに撓み可能に固定するためのばねプレートを有する取付ボルトのさらなる実施形態を示す図である。
【発明を実施するための形態】
【００１３】
車両２の前部または後部１に配置されたライトストリップ３は、取付デバイスによってボディまたは車両ボディシェル４に保持される。
【００１４】
ライトストリップ３は、その各自由端５、６で、取付ボルト７によって車両ボディシェル４にしっかりと固定されて保持される。車両２のＸ方向（長手方向）に移動可能にまたは撓み可能にライトストリップ３を車両ボディシェル４に保持するさらなる取付ボルト９が、ライトストリップ３の中央領域８に配置される。これにより、温度差による材料膨張を補償することが可能となる。
【００１５】
外側取付ボルト７は、ライトストリップ３を車両ボディシェル４に移動不能に固定して接続するためにライトストリップ３の溝形凹部１０内に配置される頭部１１を有する。取付ボルト７は、ディスク１４を挿間して、ナット１２によって車両ボディシェル４に取り付けることができる。
【００１６】
ライトストリップ３を車両ボディシェル４に可動に取り付けるための中央取付ボルト９は、ライトストリップ３の溝形凹部１５内に配置されたボルト９の頭部１６を備えている。このボルトは、自由端１７に曲線形ばねプレート１８を有する。ばねプレート１８は、中央ではショルダ１９でボルト９に保持され、その突出自由端２０、２１によって車両ボディシェル４に当接し、ライトストリップ３もＸ方向に弾性的に自由に移動できるようにする。
【００１７】
図５によるさらなる実施形態によれば、コイルばね２２もボルト９に保持されてもよい。コイルばね２２は、ボルト９のショルダ２３に保持されてナットによって固定されたディスク２４と、車両ボディシェル４との間に延在し、ライトストリップ３がＸ方向に自由に移動できるようにする。
【符号の説明】
【００１８】
１  後部
２  車両
３  ライトストリップ
４  車両ボディシェル
５  ライトストリップの自由端
６  ライトストリップの自由端
７  外側取付ボルト
８  中央領域
９  中央取付ボルト
１０  溝形凹部
１１  頭部
１２  ナット
１４  ディスク
１５  溝形凹部
１６  頭部
１７  首下自由部分
１８  曲線形ばねプレート
１９  ショルダ
２０  ばねプレートの突出自由端
２１  ばねプレートの突出自由端
２２  コイルばね
２３  ショルダ
２４  ディスク
２５  ナット
【図１】
2015199491.tif 000003
【図２】
2015199491.tif 000004
【図３】
2015199491.tif 000005
【図４】
2015199491.tif 000006
【図５】
2015199491.tif 000007